(57)【特許請求の範囲】
【請求項１】
シャフトの先端にピストンが設けられたプランジャと、ピストンを収納して内容物の充填空間を形成し先端に充填空間を外界に通じさせる貫通孔が形成されたシリンジと、充填空間内を移動可能に保持される内部スライダとを有し、
内部スライダとプランジャとにそれぞれ、当該プランジャの押し込みにより互いに固定保持される係止部を設け、内部スライダにニードルを取り付けることにより、貫通孔を通して外界に突出するニードルをプランジャの引き戻しにより充填空間内に収納可能にし、
内部スライダにシリンジ軸線に沿って延在する複数のアーム部分をシリンジの内径周りに間隔を空けて設けると共に、当該アーム部分とシリンジとにそれぞれ、互いに固定保持される係止部を設け、
アーム部分で取り囲まれた内側に、当該アーム部分の内側への変形を阻止するリング部材を配置すると共に、当該リング部材とアーム部分とにそれぞれ、互いに固定保持されると共に当該固定がリング部材の押し込みにより解除されてアーム部分の内側への変形を許容する係止部分を設けたことを特徴とする注射器。
【請求項２】
請求項１において、プランジャを通す開口部が形成されてシリンジを移動可能な外部スライダを有し、当該外部スライダとプランジャとにそれぞれ、外部スライダの移動により互いに固定保持される係止部を設けたことを特徴とする注射器。
【請求項３】
請求項２において、外部スライダとシリンジとにそれぞれ、外部スライダの移動により互いに固定保持される係止部を設けたことを特徴とする注射器。
【請求項４】
請求項１乃至３のいずれか１項において、内部スライダは、別体のニードルを取り付け可能とするものであることを特徴とする注射器。
【請求項５】
請求項１乃至４のいずれか１項において、シリンジとプランジャとの間に、当該プランジャに着脱可能に嵌合してその押し込みを阻止するストッパを設けたことを特徴とする注射器。
【発明の詳細な説明】
【技術分野】
【０００１】
本発明は、使用後に安全に廃棄することができる注射器に関するものである。
【背景技術】
【０００２】
注射器は、針を備えるため、その取り扱い（特に、廃棄時）に際しての安全性を確保する観点から、使用済みの注射器には、保護カバーを取り付けられる。
【先行技術文献】
【特許文献】
【０００３】
【特許文献１】特開２００３−２２０１３９号公報
【発明の概要】
【発明が解決しようとする課題】
【０００４】
しかしながら、保護カバーを用いる場合、保護カバーの装着作業が煩雑で、改善の余地があった。
【０００５】
本発明の目的とするところは、複雑な作業を要することなく、安全且つ容易に廃棄可能な、新規の注射器を提供することにある。
【課題を解決するための手段】
【０００６】
本発明である、注射器は、シャフトの先端にピストンが設けられたプランジャと、ピストンを収納して内容物の充填空間を形成し先端に充填空間を外界に通じさせる貫通孔が形成されたシリンジと、充填空間内を移動可能に保持される内部スライダとを有し、内部スライダとプランジャとにそれぞれ、当該プランジャの押し込みにより互いに固定保持される係止部を設け、内部スライダにニードルを取り付けることにより、貫通孔を通して外界に突出するニードルをプランジャの引き戻しにより充填空間内に収納可能にし、内部スライダにシリンジ軸線に沿って延在する複数のアーム部分をシリンジの内径周りに間隔を空けて設けると共に、当該アーム部分とシリンジとにそれぞれ、互いに固定保持される係止部を設け、アーム部分で取り囲まれた内側に、当該アーム部分の内側への変形を阻止するリング部材を配置すると共に、当該リング部材とアーム部分とにそれぞれ、互いに固定保持されると共に当該固定がリング部材の押し込みにより解除されてアーム部分の内側への変形を許容する係止部分を設けたことを特徴とするものである。
【０００８】
また、本発明に従えば、プランジャを通す開口部が形成されてシリンジを移動可能な外部スライダを有し、当該外部スライダとプランジャとにそれぞれ、外部スライダの移動により互いに固定保持される係止部を設けることができる。
【０００９】
更に、本発明に従えば、外部スライダとシリンジとにそれぞれ、外部スライダの移動により互いに固定保持される係止部を設けることができる。
【００１０】
加えて、本発明に従えば、内部スライダは、別体のニードルを取り付け可能とするものとすることができる。
【００１１】
また、本発明に従えば、シリンジとプランジャとの間に、当該プランジャに着脱可能に嵌合してその押し込みを阻止するストッパを設けることができる。
【発明の効果】
【００１２】
本発明では、プランジャをいっぱいまで押し込んで液体を注出すれば、プランジャは、内部スライダに引っ掛かって一体化する。このため、プランジャを引き戻せば、内部スライダもプランジャと共にシリンジの先端から遠ざかる方向に引き離される。
【００１３】
即ち、内部スライダに取り付けられたニードルも、シリンジの先端から遠ざかる方向に移動する。これにより、シリンジの貫通孔を通して露出していたニードルは、単に押し込んだプランジャを引き戻すという、注射器本来の単純な操作により、シリンジ内に収納することができる。
【００１４】
従って、本発明によれば、複雑な作業を要することなく、安全且つ容易に廃棄することができる。
【図面の簡単な説明】
【００１５】
【図１】本発明である、注射器の第１の形態であって、その使用前の状態を示す縦断面図及び、その要部拡大図である。
【図２】同形態に係る、内部シリンダとリング部材との関係をＯリングと共に示す分解斜視図である。
【図３】同形態に係るプランジャの押し込み中の状態を示す縦断面図である。
【図４】同形態に係るプランジャを押し込みにより内部スライダと一体化させた状態を示す縦断面図である。
【図５】同形態に係るプランジャを引き戻してシリンジ内にニードルを収納した廃棄可能状態を示す縦断面図である。
【図６】同形態に係る外部スライダ及びシリンジに設けたフランジをそれぞれ、互いの合せ面側から示す分解斜視図である。
【図７】(a)は、図１のＡ−Ａ断面図であり、(b)は、同形態の使用状態におけるＡ−Ａ断面図である。
【図８】本発明である、注射器の第２の形態であって、その使用前の状態を示す縦断面図である。
【図９】同形態において、ニードルを取り付ける直前の状態を示す要部断面図である。
【図１０】同形態に係る外部スライダ及びシリンジに設けたフランジをそれぞれ、互いの合せ面側から示す分解斜視図である。
【図１１】(a)は、図８のＢ−Ｂ断面図であり、(b)は、同形態の使用状態におけるＢ−Ｂ断面図である。
【図１２】同形態に係るプランジャを押し込みにより内部スライダと一体化させた状態を示す縦断面図である。
【図１３】同形態に係るプランジャを引き戻してシリンジ内にニードルを収納した廃棄可能状態を示す縦断面図である。
【図１４】本発明である、注射器の第３の形態であって、その使用前の状態を示す縦断面図である。
【図１５】同形態に係るストッパの正面図及び側面図である。
【図１６】同形態に係るプランジャを引っ張って、シリンジ内に液体を充填させた状態を示す縦断面図である。
【発明を実施するための形態】
【００１６】
以下、図面を参照して、本発明である、注射器の様々な形態を詳細に説明する。
【００１７】
図１〜７には、本発明の第１の形態である、注射器１を示す。注射器１は、予め液体が充填されたタイプである。
【００１８】
符号２は、液体の吸入、加圧及び圧送を行うプランジャである。プランジャ２は、図１等に示すように、使用者が操作するシャフト３と、このシャフト３の先端に設けられたピストン４とを有する。
【００１９】
符号５は、ピストン４を収納して内溶液の充填空間Ｓを形成するシリンジである。シリンジ５は、ピストン４を挿入するための開口部Ａ1を有してフランジ５ａが設けられた大径部５ｂと、この大径部５ｂよりも小径の小径部５ｃとからなる。小径部５ｃは、シリンジの先端を構成し、その内側には、充填空間Ｓを外界に通じさせる貫通孔Ａ2が形成されている。
【００２０】
符号６は、シリンジ５内に収納される内部スライダである。内部スライダ６は、充填空間Ｓを外界に通じさせる通路Ｒ1が形成された内筒部６ａと、この内筒部６ａを取り囲む外筒部６ｂとを有し、内筒部６ａと外筒部６ｂとの間に形成された環状溝に、ニードル９のベース１０を螺合させることで保持固定されている。なお、ニードル９の取り付けは、螺合に限定されるものではなく、凹凸や凸凸の引っ掛かりによって固定保持されるアンダーカット嵌合等の既存の手法を用いることができる。
【００２１】
また、内部スライダ６は、内筒部６ａと外筒部６ｂとの間が環状の隔壁部６ｃで連結されている。隔壁部６ｃには、シリンジ５の長手方向（シリンジ軸線Ｏ）に沿って後方に延在する複数のアーム部６ｄが一体に設けられている。アーム部６ｄは、図２に示すように、隔壁部６ｃの外縁に沿ってシリンジ５の内径周りに間隔を空けて設けられている。これにより、内部スライダ６は、アーム部６ｄにより、シリンジ５の内面を案内に、充填空間Ｓ内をシリンジ５の長手方向に沿って移動することができる。
【００２２】
シリンジ５及びアーム部６ｄにはそれぞれ、図１の拡大図に示すように、互いに引っ掛かって固定保持される係止部（ロック部）Ｃ1,Ｃ2が設けられている。係止部Ｃ1,Ｃ2は、内部スライダ６をシリンジ５の先端側に位置決めする。
【００２３】
本形態では、シリンジ５に設けた係止部Ｃ1は、シリンジ５の内面に形成された突起５ｐ1で構成され、また、アーム部６ｄに設けた係止部Ｃ2は、アーム部６ｄの先端６ｅで構成されている。
【００２４】
アーム部６ｄが隔壁部６ｃを基点にして内向き（シリンジ軸線Ｏに向かう方向）に変形すると、その先端６ｅが突起６ｐ1を乗り越えることで引っ掛かりを解除することができる。即ち、内部スライダ６をシリンジ５の長手方向に引っ張れば、アーム部６ｄの先端６ｅが突起６ｐ1を乗り越えることで、内部スライダ６をシリンジ２の先端位置から引き出すことができる。
【００２５】
なお、突起５ｐ1は、シリンジ５の内面に全周に亘って設けることも、間隔を空けて間欠的に設けることもできる。更に、係止部Ｃ1,Ｃ2は、シリンジ５の突起５ｐ1とアーム部６ｄの先端６ｅとの構成に限定されない。例えば、互いを突起で構成することや、突起と窪み（溝）で構成することもできる。
【００２６】
また、符号７は、アーム部分６ｄで取り囲まれた内側に配置されるリング部材である。リング部材７は、アーム部分６ｄの内側に配置されることで、アーム部分６ｄの内側への変形を阻止する。これにより、内部スライダ６は、リング部材７を取り除かない限り、シリンジ５内を長手方向に移動することができない。
【００２７】
また、アーム部分６ｄとリング部材７にもそれぞれ、図１の拡大図に示すように、互いに引っ掛かって固定保持される係止部（ロック部）Ｃ3,Ｃ4が設けられている。係止部Ｃ3,Ｃ4は、その引っ掛かりがリング部材７の押し込みにより解除されることで、アーム部６ｄの内側への変形を許容する。
【００２８】
本形態では、アーム部材６ｄに設けた係止部Ｃ3は、アーム部材６ｄの先端内側に、シリンジ長手方向に間隔を空けて２つの突起６ｐ1,６ｐ2を設け、これら突起６ｐ1,６ｐ2と、その相互間に形成された凹部６ｎで構成され、また、リング部材７に設けた係止部Ｃ4は、リング部材の外周縁部７ａで構成されている。
【００２９】
内部スライダ６が図１に示すように係止部Ｃ1,Ｃ2によってシリンジ５の先端側に固定された状態で、アーム部６ｄの先端６ｅ側から、その内側にリング部材７を押し込むと、リング部材７の外周縁部７ａがアーム部６ｄに設けた突起６ｐ1を乗り越えて凹部６ｎに嵌合する。これにより、アーム部材６ｄの動きは、リング部材７によって阻止されるため、内部スライダ６は、シリンジ５の先端部分（小径部５ｃ側）に位置決めされた状態で固定される。
【００３０】
そして、更にリング部材７を押し込むと、リング部材７の外周縁部７ａがアーム部６ｄに設けた突起６ｐ2を乗り越えることで、リング部材７は、突起６ｐ2と隔壁部６ｃとの間に配置される。これにより、内部スライダ６は、その先端側の拘束がなくなるので、アーム部６ｄの内側への変形が許容される。即ち、内部スライダ６は、リング部材７が押し込まれてアーム部６ｄが自由になることで、シリンジ５の突起５ｐ1を乗り越えてその先端側から開口部Ａ1に向かって移動することができる。
【００３１】
更に、プランジャ２及び内部スライダ６にもそれぞれ、図１の拡大図に示すように、係止部（ロック部）Ｃ5,Ｃ6が設けられている。係止部Ｃ5,Ｃ6は、プランジャ２の押し込みにより互いに引っ掛かることで、プランジャ２及び内部スライダ６を一体に連結する。
【００３２】
本形態では、プランジャ２に設けた係止部Ｃ5は、シャフト３の先端に一体に設けられた抜け止めピン３ａで構成されている。抜け止めピン３ａは、シャフト３と一体に繋がる基部３ａ1と、この基部３ａ1の先端に設けられた膨出部（ヘッド）３ａ2とを有する。また、内部スライダ６に設けた係止部Ｃ6は、内筒部６ａの通路Ｒ1の入口側に環状突起６ｈを設け、この環状突起６ｈと環状突起６ｈの内側に形成された開口部Ａ3とで構成されている。
【００３３】
開口部Ａ3は、ヘッド３ａ2よりも若干小径に構成されている。このため、プランジャ２の押し込みにより、ヘッド３ａ2がリング部材７の内側に形成された貫通孔Ａ4を通って開口部Ａ3に押し込まれると、ヘッド３ａ2が環状突起６ｈを乗り越えることで、ヘッド３ａ2は、環状突起６ｈに嵌合保持される。
【００３４】
即ち、プランジャ２をシリンジ５の長手方向に沿って押し込めば、当該プランジャ２を内部スライダ６に一体化させることができる。これにより、プランジャ２をシリンジ５の先端までいっぱいに押し込んで引き戻せば、貫通孔Ａ1を通してニードル９を内部スライダ６と共に充填空間Ｓ内に引き入れることができる。
【００３５】
また、符号１１は、シリンジ５に設けたフランジ５ａに沿って移動する外部スライダである。外部スライダ１１は、図６に示すように、フランジ５ａとの合せ面側に、周壁１１ａで取り囲まれた凹部ｎを有する。凹部ｎには、シャフト３を通す開口部Ａ5が形成されている。
【００３６】
また、フランジ５ａには、シリンジ５の開口部Ａ1を形作る環状リブ５ｄ1と共に、この環状リブ５ｄ1を挟んで対向する位置に、２つの縦リブ５ｄ2が一体に設けられている。縦リブ５ｄ2はそれぞれ、フランジ５ａの長手方向に沿って延在する。これにより、外部スライダ１１は、図７(a),(b)に示すように、周壁１１ａのうち、長手方向の部分を案内として、フランジ５ａの長手方向に沿って移動する。
【００３７】
なお、本形態では、２つの縦リブ５ｄ2にそれぞれ、当該縦リブ５ｄ2の長手方向に延在する凹溝５ｎを形成すると共に、この凹溝５ｎに摺動可能に嵌合する凸部１１ｐを、外部スライダ１１の長手方向に延在する周壁１１ａそれぞれの内側に設けている。これにより、外部スライダ１１は、フランジ５ａの長手方向に沿って移動できる。また、凹溝５ｎと凸部１１ｐの位置は、フランジ５ａ及び外部スライダ１１の構成に応じて適宜、変更することができる。更に、本発明に従えば、凹溝５ｎと凸部１１ｐの関係は、外部スライダ１１の周壁１１ａに縦リブを設け、この縦リブをフランジ５ａの縦リブ５ｄ2に形成することもできる。
【００３８】
また、プランジャ２及び外部スライダ１１にはそれぞれ、図１等に示すように、互いに引っ掛かって固定保持される係止部（ロック部）Ｃ7,Ｃ8が設けられている。係止部Ｃ7,Ｃ8は、外部スライダ６の移動によって、シリンジ５に対してプランジャ２を固定する。
【００３９】
本形態では、プランジャ２に設けた係止部Ｃ7は、シャフト３の周方向に延在する溝３ｅで構成され、外部スライダ１１に設けた係止部Ｃ8は、開口部Ａ5を形作る内周縁部１１ｅで構成されている。内周縁部１１ｅは、フランジ５ａに対して外部スライダ１１を移動させることで溝３ｅに嵌合される。プランジャ２における溝３ｅの位置は、図１等に示すように、プランジャ２を引き戻したとき、シリンジ２から抜けない位置に設定する。
【００４０】
即ち、図１に示すように、外部スライダ１１の内周縁部１１ｅをプランジャ２に設けた溝３ｅに引っ掛けた状態では、プランジャ２を押し込むことができず、図３等に示すように、外部スライダ１１をずらして外部スライダ１１の内周縁部１１ｅをプランジャ２に設けた溝３ｅから解除すれば、  プランジャ２の押し込み及び引き戻しが可能になる。これにより、使用者が外部スライダ１１をフランジ５ａに沿って移動させれば、プランジャ２を固定することは勿論、その押し込み及び引き戻しも可能になる。
【００４１】
なお、凹部ｎには、図６に示すように、長手方向に沿って延在する２つの縦リブ１１ｒ1及び１１ｒ2が設けられている。縦リブ１１ｒ1及び１１ｒ2はそれぞれ、環状リブ５ｄ1と接触することで、外部スライダ１１の移動を制限するストッパとして機能する。なお、本発明に従えば、上述の凹溝５ｎの端部を閉じることで、凸部１１ｐとの接触を可能とすることで、ストッパとして機能させることもできる。
【００４２】
ここで、本形態の作用を説明する。
【００４３】
本形態では、当初外部スライダ１１は、図７(a)に示す位置にある。即ち、プランジャ２は、図１に示すように引き出した状態で固定されている。このため、使用者は、プランジャ２を押し込んで、液体をニードル９から注出することができない。
【００４４】
そこで、使用者が外部スライダ１１を図７(b)に示す位置に移動させると、開口部Ａ5がシャフト３と同軸上に配置されることで、プランジャ２を図３に示すように押し込むことが可能になる。この押し込みをいっぱいまで行って、ニードル９から液体を注出すると、図４に示すように、プランジャ２と内部スライダ６とが係止部Ｃ5,Ｃ6により一体化する。
【００４５】
このとき、プランジャ２は、リング部材７を押し込むことで、図４に示すように、係止部Ｃ3,Ｃ4による、リング部材７と内部スライダ６との引っ掛かりが解除される。即ち、プランジャ２をいっぱいまで押し込めば、プランジャ２と内部スライダ６とが一体化すると共に、アーム部６ｄの内側への変形も許容される。
【００４６】
このため、プランジャ２をいっぱいまで押し込んで引き戻せば、内部スライダ６がシリンジ５の突起５ｐ1を乗り越えることで、内部スライダ６は、ニードル９と共に開口部Ａ1に向かって移動する。これにより、ニードル９は、図５に示すように、プランジャ２の引き戻しによって、充填空間Ｓ内に収納される。
【００４７】
上述のように、本形態では、プランジャ２をいっぱいまで押し込んで液体を注出すれば、プランジャ２は、内部スライダ６に引っ掛かって一体化する。このため、プランジャ２を引き戻せば、内部スライダ６もプランジャ２と共にシリンジ５の先端から遠ざかる方向に移動する。
【００４８】
即ち、内部スライダ６に取り付けられたニードル９も、シリンジ５の先端から遠ざかる方向に移動する。これにより、シリンジ５の貫通孔を通して露出していたニードル９は、単に押し込んだプランジャ２を引き戻すという、注射器本来の単純な操作により、シリンジ５内に収納することができる。
【００４９】
従って、本形態によれば、複雑な作業を要することなく、安全且つ容易に廃棄することができる。
【００５０】
また、本形態の如く、内部スライダ６に複数のアーム部６ｄを設け、このアーム部６ｄとシリンジ５とを、互いに係止部Ｃ1,Ｃ2によって固定保持すれば、係止部Ｃ1,Ｃ2の引っ掛かりにより、シリンジ５内での内部スライダ６の容易な移動を防止できる一方、プランジャ２と内部スライダ６が一体化した後は、プランジャ２の引き戻しで係止部Ｃ1,Ｃ2が解除されることで、内部スライダ６と共にニードル９を充填空間Ｓ内に収納できる。
【００５１】
更に、この場合、アーム部６ｄで取り囲まれた内側にリング部材７を配置して、当該リング部材７とアーム部分６ｄとを、互いに係止部Ｃ3,Ｃ4によって固定保持すると共に、当該引っ掛かりがリング部材７の押し込みにより解除されてアーム部６ｄの内側への変形が許容されるようにすれば、内部スライダ６をシリンジ５に対して強固に固定させつつ、プランジャ２と一体化した後は、プランジャ２と共に容易に引き抜くことができる。
【００５２】
更に、本形態の如く、シリンジ５に外部スライダ１１を設け、この外部スライダ１１とプランジャ２とを、互いに係止部Ｃ7,Ｃ8によって固定保持することで、シリンジ５に対してプランジャ２を固定保持すれば、誤って廃棄の際にプランジャ２を押し込むようなことがあっても、ニードル９がシリンジ５から飛び出すことがない。また、この場合、本形態のように予めシリンジ５内に液体を充填しておくができる。
【００５３】
また、本発明に従えば、外部スライダ１１をフランジ５ａに対して固定することができる。
【００５４】
図８〜１３は、本発明の第２の形態である。本形態は、第１の形態の変形例であって、予め液体Ｃが充填されたタイプである。なお、以下の説明において、第１の形態と同一の部分は、同一の符号をもって、その説明を省略する。
【００５５】
本形態では、図８に示すように、未使用の状態では、シリンジ５の貫通孔Ａ2を通してキャップ１３が取り付けられている。キャップ１３は、図９に示すように、フランジ１３ａを有し、このフランジ１３ａが内部スライダ６の環状溝に形成された突起６ｐ3により嵌合保持されている。ニードル９は、ベース１０に取り付けられたカバー１４によって保護された状態で、キャップ１３を取り外して取り付けられる。ニードル９の取り付けは、ベース１０に設けられたフランジ１０ａを突起６ｐ3に嵌合させることで行われる。
【００５６】
フランジ５ａと外部スライダ１１にはそれぞれ、図１０に示すように、係止部Ｃ9,Ｃ10が設けられている。係止部Ｃ9,Ｃ10は、外部スライダ１１の移動により互いに引っ掛かることで、フランジ５ａに対して外部スライダ１１を固定保持する。
【００５７】
本形態では、図１０に示すように、フランジ５ａに設けた係止部Ｃ9は、フランジ５ａに形成されたスリット５ｓにより形作られた片持ち支持部５ｆで構成されている。片持ち支持部５ｆは、環状リブ５ｄ1側から外部スライダ１１に向かって傾斜する傾斜面５ｆ1を有し、その先端５ｆ2が平坦面を構成する。また、外部スライダ１１に設けた係止部Ｃ10は、縦リブ１１ｆで構成されている。縦リブ１１ｆは、周壁１１ａからフランジ５ａに向かって傾斜する傾斜面１１ｆ1を有し、その先端部分が段部１１ｆ2を構成する。
【００５８】
外部スライダ１１の内周縁部１１ｅがプランジャ２の溝３ｅに引っ掛らない状態では、図８等に示すように、外部スライダ１１の傾斜面１１ｆ1がフランジ５ａの傾斜面５ｆ1と合わさることで、外部スライダ１１の移動を許容する。このため、外部スライダ１１を移動させて外部スライダ１１の内周縁部１１ｅがプランジャ２の溝３ｅに引っ掛ると、外部スライダ１１の縦リブ１１ｆが片持ち支持部５ｆを外側に押し退けて乗り越えた後、図１３等に示すように、外部スライダ１１の段部１１ｆ2にフランジ５ａの先端５ｆ2がつっかえる。これにより、外部スライダ１１は、図１３等に示すように、内周縁部１１ｅが溝３ｅに引っ掛かった状態のまま、シリンジ５に対して固定保持されて戻ることがない。
【００５９】
ここで、本形態の作用を説明する。
【００６０】
本形態では、当初外部スライダ１１は、図８(a)に示すように、開口部Ａ5がシャフト３と同軸上にあるため、プランジャ２の押し込みは可能である。しかし、シリンジ５には予め液体Ｃが充填されているため、プランジャ２を押し込むことはできない。即ち、プランジャ２は、図８に示すように引き出した状態で固定されている。
【００６１】
そこで、使用者がシリンジ５からキャップ１３を取り除いてニードル９を取り付けると、ニードル９からの注出が可能になるため、プランジャ２を押し込むことができる。この押し込みをいっぱいまで行って、ニードル９から液体を注出すると、図１２に示すように、第１の形態と同様、プランジャ２と内部スライダ６とが一体化する。
【００６２】
このとき、リング部材７と内部スライダ６との引っ掛かりも、第１の形態と同様、解除されるため、アーム部６ｄの内側への変形も許容される。このため、プランジャ２を引き戻せば、第１の形態と同様、内部スライダ６がシリンジ５の突起５ｐ1を乗り越えることで、図１３に示すように、ニードル９は、シリンジ５内に収納される。
【００６３】
次いで、外部スライダ１１を移動させれば、図１３に示すように、外部スライダ１１の内周縁部１１ｅがプランジャ２の溝５ｅに嵌合することで、プランジャ２の押し込みを阻止すると同時に、外部スライダ１１の段部１１ｆ2にフランジ５ａの先端５ｆ2がつっかえることで、外部スライダ１１は、戻ることなく、シリンジ５に対して固定保持される。
【００６４】
本形態の如く、シリンジ５及び外部スライダ１１にそれぞれ、外部スライダ１１をシリンジに対して固定保持する係止部Ｃ9,Ｃ10を設ければ、誤って廃棄の際に外部スライダ１１を動かそうとしても、外部スライダ１１はロックされた状態となるので、プランジャ２の押し込みを防止することができる。また、本形態も、第１の形態のように予めシリンジ５内に液体を充填しておくができる。
【００６５】
なお、外部スライダ１１は、本形態の如く、使用者が注出の際に指を掛けるフランジ５ａを流用すれば、操作性やレイアウト性に有効であるが、本発明に従えば、シリンジ５に別途、外部スライダ１１を保持する部分を設けることもできる。また、上述の各形態では、シリンジ５の内面には、開口部Ａ1の近傍に、環状の抜け止め突起５ｐ2が設けられている。これにより、プランジャ２は、その引き抜きに対して抜け止め保持されている。
【００６６】
更に、本発明は、予めプランジャ２を押し込んだ場合にも適用することができる。
【００６７】
図１４〜１６は、本発明の第３の形態である。本形態は、液体を別途吸入するタイプであり、液体は、アンプル等の容器から充填する。なお、以下の説明において、第１の形態と同一の部分は、同一の符号をもって、その説明を省略する。
【００６８】
本形態では、プランジャ２に設けたフランジ２ｆとシリンジ５に設けたフランジ５ａとの間に、ストッパ１５が設けられている。ストッパ１５は、プランジャ２に着脱可能に嵌合してその押し込みを阻止する。
【００６９】
本形態では、ストッパ１５は、図１５に示すように、シャフト３に着脱可能に嵌合するＣ字断面形状の本体１５ａと、この本体１５ａに繋がる摘み１５ｂとを有する。これにより、使用者は、摘み１５ｂを用いて、ストッパ１５をシャフト３に嵌合させれば、本体１５ａの長さＤ分だけ、プランジャ２を引き出した状態でシリンジ５に対して位置決めできる。
【００７０】
ここで、本形態の作用を説明する。
【００７１】
本形態では、図１４に示すように、プランジャ２は、ストッパ１５によって予め長さＤを残してシリンジ５に押し込まれた状態にある。また、外部スライダ１１も、その開口部Ａ4がシャフト３と同軸上となる位置にあるため、プランジャ２の引き出しは可能である。このため、使用者がこのままプランジャ２を引けば、図１６に示すように、アンプル等の容器から液体をシリンジ５内に充填することができる。
【００７２】
その後、ストッパ１５をシャフト２から取り外せば、第２の形態と同様、図１２に示すように、プランジャ２をいっぱいまで押し込むことで、ニードル９から液体を注出できると共に、プランジャ２と内部スライダ６とを一体化できる。このため、プランジャ２を引き戻せば、ニードル９は、第２の形態と同様、図１３に示すように、シリンジ５内に収納される。
【００７３】
そして、第２の形態と同様、外部スライダ１１を外向きに移動させれば、プランジャ２の押し込みが阻止されると共に、外部スライダ１１は、シリンジ５に対して固定保持される。
【００７４】
本形態の如く、シリンジ５とプランジャ２との間に、当該プランジャの押し込みを阻止するストッパ１５を設ければ、予めプランジャ２を押し込んだ場合でも、ニードル９をシリンジ５内に収納できる。このため、本形態は、液体を吸入して使用する場合に有効である。また、本形態によれば、製品としての小型化を図ることができる。
【００７５】
上述したところは、本発明の一形態を示したにすぎず、特許請求の範囲内において、種々の変更を加えることができる。各形態に採用された各構成はそれぞれ、互いに適宜組み合わせることができる。
【産業上の利用可能性】
【００７６】
本発明は、シャフトの先端にピストンが設けられたプランジャと、ピストンを収納して内容物の充填空間を形成し先端に充填空間を外界に通じさせる貫通孔が形成されたシリンジと、シリンジから突出するニードルを有するものであれば、医療分野は勿論、様々な分野に採用することができる。
【符号の説明】
【００７７】
１    注射器
２    プランジャ
３    シャフト
４    ピストン
５    シリンジ
６    内部スライダ
７    リング部材
８    Ｏリング
９    ニードル
１０  ベース
１１  スライダ
１３  キャップ
１５  ストッパ
【図１】
0005631730.tif 000002
【図２】
0005631730.tif 000003
【図３】
0005631730.tif 000004
【図４】
0005631730.tif 000005
【図５】
0005631730.tif 000006
【図６】
0005631730.tif 000007
【図７】
0005631730.tif 000008
【図８】
0005631730.tif 000009
【図９】
0005631730.tif 000010
【図１０】
0005631730.tif 000011
【図１１】
0005631730.tif 000012
【図１２】
0005631730.tif 000013
【図１３】
0005631730.tif 000014
【図１４】
0005631730.tif 000015
【図１５】
0005631730.tif 000016
【図１６】
0005631730.tif 000017